(57)【要約】【課題】本発明は、入力歯車と押え板とを結合するためのねじを１本のみとし、構成を簡略化すると共に強度を向上させることを目的とする。【解決手段】本発明による回転検出装置は、入力歯車（４）と押え板（６）を結合するためのねじ（７）は１本のみからなり、このねじ（７）は入力歯車（４）及び押え板（６）を貫通すると共にその軸心位置に設けられ、入力歯車（４）と押え板（６）間には回り止めのピン（３７）が設けられている構成である。【選択図】        図１
2004150878.tif 000002
【特許請求の範囲】
【請求項１】
ケーシング（１）内の基台（２）に回転自在に設けられた入力歯車（４）と、前記入力歯車（４）に設けられ外部接続用ピン（５）に接続された押え板（６）と、前記入力歯車（４）と押え板（６）とを接離自在とするためのねじ（７）と、前記基台（２）に設けられ前記入力歯車（４）と噛合する複数の中間歯車（１０〜１３）を介して接続された複数の回転検出器（２０、２１）とを備え、前記押え板（６）の外部接続用ピン（５）に被回転検出軸を接続するようにした回転検出装置において、
前記ねじ（７）は１本のみよりなり、かつ、前記入力歯車（４）及び押え板（６）の軸心位置に貫通して設けられていることを特徴とする回転検出装置。
【請求項２】
前記入力歯車（４）及び押え板（６）は、ピン（３７）を介して相互の回り止めが行われていることを特徴とする請求項１記載の回転検出装置。
【請求項３】
前記ねじ（７）の一端には鍔部（７Ａ）が形成され、前記ねじ（７）の他端にはスプリングピン（３６）が設けられ、前記鍔部（７Ａ）は前記入力歯車（４）の筒部（３）内に位置し、前記スプリングピン（３６）は前記押え板（６）の外側に位置していることを特徴とする請求項１又は２記載の回転検出装置。
【請求項４】
前記入力歯車（４）と押え板（６）が相互回動できる状態下で、零位置に設定された前記被回転検出軸に前記外部接続用ピン（５）を結合し、前記入力歯車（４）を回転して前記回転検出器（２０、２１）を零位置に合わせた後に、前記ねじ（７）によって前記入力歯車（４）と押え板（６）とを結合させた構成よりなることを特徴とする請求項１ないし３の何れかに記載の回転検出装置。
【発明の詳細な説明】
【０００１】
【発明の属する技術分野】
本発明は、回転検出装置に関し、特に、被回転検出軸と接続する外部接続用ピンを有する押え板と、各回転検出器に中間歯車を介して接続される入力歯車とを１本のねじのみで結合させ、構成を簡略化するための新規な改良に関する。
【０００２】
【従来の技術】
従来、用いられていたこの種のシンクロ等を用いた多回転型の回転検出装置としては、図３及び図４で示される社内で開発した構成を挙げることができる。
尚、前述の従来構成は、社内製作品のため、その構成を示すための特許文献及び非特許文献は現在のところ存在がない。
図３及び図４において符号１で示されるものはケーシングであり、このケーシング１内の板状の基台２には、筒部３を一体に有する入力歯車４が設けられ、この入力歯車４には、外部接続用ピン５が接続された押え板６が結合して設けられている。
【０００３】
前記押え板６の周縁に設けられた外部接続用ピン５には、図示しない被回転検出軸が接続され、この押え板６と入力歯車４とはその周縁位置に配設された複数のねじ７によって強固に結合されている。
前記入力歯車４は、複数の中間歯車１０，１１，１２を介して複数のシンクロ、レゾルバ等の第１、第２回転検出器２０，２１に間接的に接続されている。
【０００４】
従って、前記外部接続用ピン５及び押え板６に接続された被回転検出軸（図示せず）が回転すると、その回転の１回転は第１回転検出器２０で検出され、複数回転は第２回転検出器２１で検出される。
【０００５】
【発明が解決しようとする課題】
従来の回転検出装置は、以上のように構成されていたため、次のような課題が存在していた。
すなわち、押え板と入力歯車を結合させるためのねじは、この接続板と入力歯車を貫通すると共に、その周縁に複数本設けられているため、押え板の外周に対する径方向の肉厚が薄くなり強度を十分に取ることが困難であった。また、複数個の貫通孔を形成しなくてはならず、押え板及び入力歯車の加工に多大のコストを必要とし、大量生産上の大きい障害となっていた。
【０００６】
本発明は、以上のような課題を解決するためになされたもので、特に、被回転検出軸と接続する外部接続用ピンを有する押え板と、各回転検出器に中間歯車を介して接続される入力歯車とを１本のねじのみで結合させ、構成を簡略化するようにした回転検出装置を提供することを目的とする。
【０００７】
【課題を解決するための手段】
本発明による回転検出装置は、ケーシング内の基台に回転自在に設けられた入力歯車と、前記入力歯車に設けられ外部接続用ピンに接続された押え板と、前記入力歯車と押え板とを接離自在とするためのねじと、前記基台に設けられ前記入力歯車と噛合する複数の中間歯車を介して接続された複数の回転検出器とを備え、前記押え板の外部接続用ピンに被回転検出軸を接続するようにした回転検出装置において、前記ねじは１本のみよりなり、かつ、前記入力歯車及び押え板の軸心位置に貫通して設けられている構成であり、また、前記入力歯車及び押え板は、ピンを介して相互の回り止めが行われている構成であり、また、前記ねじの一端には鍔部が形成され、前記ねじの他端にはスプリングピンが設けられ、前記鍔部は前記入力歯車の筒部内に位置し、前記スプリングピンは前記押え板の外側に位置している構成であり、また、前記入力歯車と押え板が相互回動できる状態下で、零位置に設定された前記被回転検出軸に前記外部接続用ピンを結合し、前記入力歯車を回転して前記回転検出器を零位置に合わせた後に、前記ねじによって前記入力歯車と押え板とを結合させた構成である。
【０００８】
【発明の実施の形態】
以下、図面と共に本発明による回転検出装置の好適な実施の形態について説明する。尚、従来例と同一又は同等部分には同一符号を用いて説明する。
図１及び図２において符号１で示されるものはケーシングであり、このケーシング１内の板状の基台２には、筒部３を一体に有する入力歯車４が軸受４Ａを介して回転自在に設けられ、この入力歯車４には外部接続用ピン５を有する押え板６が結合して設けられている。
【０００９】
前記押え板６は、前記入力歯車４の一面側に形成された凹部３０に設けられたリング体３１の内側に設けられ、前記押え板６の外周に形成された押え用鍔６ａは前記リング体３１の内端の一部を覆い、この押え用鍔６ａとリング体３１の内端の一部とが軸方向に沿って互いに重合していることにより、前記押え板６がリング体３１を押えて抜け止めとなるように構成されている。
【００１０】
前記外部接続用ピン５は、前記リング体３１の一端に軸方向に沿って嵌入して設けられており、前記入力歯車４及び押え板６に形成された各貫通孔４ａ、６ｂには、各貫通孔４ａ、６ｂを貫通する状態で１本のみのねじ７が貫通して螺入されている。
【００１１】
前記ねじ７の一端に形成された鍔部７Ａと前記入力歯車４との間には、同軸状にカラー３５が設けられ、このねじ７の他端にはスプリングピン３６が設けられている。
前記入力歯車４に設けられたピン３７は、前記押え板６に軸方向に沿って形成された孔３８内に挿入され、このピン３７が孔３８内に挿入されていることにより、入力歯車４と押え板６とは互いに回り止めの状態で結合されている。
【００１２】
前記入力歯車４は、前記基台２に設けられた複数の中間歯車１０、１１、１２、１３に噛合されており、中間歯車１２には第１回転検出器２０が接続されていると共に、中間歯車１３には第２回転検出器２１が接続されている。
【００１３】
次に、前述の構成において、実際に回転を検出するための装置の図示しない被回転検出軸を前記外部接続用ピン５に接続して回転検出する場合について説明する。
まず、前記ねじ７を回転させると押え板６が軸方向へわずかに移動するため、外部接続用ピン５を有するリング体３１は押え板６及び入力歯車４に対してフリー状態となる。
【００１４】
前述の状態下で、予め零位置に設定された前記被回転検出軸に対して、リング体３１を回転させて位置合わせをした後に、前記外部接続用ピン５を挿入結合し、さらに、前記入力歯車４を回転させて前記各回転検出器２０、２１を零位置に合わせる。
前述の設定が終了した状態で、ねじ７を回転させると、押え板６が元の位置に戻り、押え用鍔６ａによってリング体３１が入力歯車４に押圧され、外部接続用ピン５と入力歯車４が一体状となる。
【００１５】
前述の状態で、前記被回転検出軸が回転すると、外部接続用ピン５、入力歯車４、各中間歯車１０、１１、１２、１３を介して第１、第２回転検出器２０、２１が回転し、第１回転検出器２０によって１回転の角度が検出され、回転検出器２１によって多回転が検出される。
【００１６】
【発明の効果】
本発明による回転検出装置は、以上のように構成されているため、次のような効果を得ることができる。
すなわち、被回転検出軸に接続される外部接続用ピンを有するリング体を押える押え板と入力歯車とを結合するためのねじが軸心位置に１本のみで構成されているため、構成が簡略化されると共に、押え板の外周とねじとの肉厚を十分にとることができ、かつ、径方向の肉厚を十分とすることができることにより、押え板、リング体及び入力歯車の結合強度を向上させることができる。
【図面の簡単な説明】
【図１】本発明による回転検出装置を示す断面図である。
【図２】図１の右側面図である。
【図３】従来構成の断面図である。
【図４】図３の右側面図である。
【符号の説明】
１    ケーシング
２    基台
４    入力歯車
５    外部接続用ピン
６    押え板
７    ねじ
１０〜１３    中間歯車
２０    第１回転検出器
２１    第２回転検出器
３６    スプリングピン
３７    ピン
【図１】
2004150878.tif 000003
【図２】
2004150878.tif 000004
【図３】
2004150878.tif 000005
【図４】
2004150878.tif 000006